(57)【要約】  信号受信部（２０）と、画像表示信号に基づき表示画像（２８）を表示する画像メモリ型表示媒体（２４）と、識別情報および画像表示信号が記憶される第１の記憶領域（２５ａ）と第１の記憶領域（２５ａ）における画像表示信号の記憶状態を示す記録情報を記憶する第２の記憶領域（２５ｂ）とを有する記憶部（２４ｃ）とを備えるタグ（１２）と、信号受信部（２０）と接触される接触電極部（３０）と、識別情報および記録情報を読み取る情報認識部（３２）と、識別情報に対応する画像表示情報および識別情報が記憶されたメモリ（３８）と、画像表示情報に基づく画像表示信号、および記録情報を画像表示信号が記憶された状態を示すものにする書込み信号を接触電極部（３０）を介して送信する書込み部（３４）とを備えるリーダーライタ（１４）とを有する。
2016194523.tif 000002
【特許請求の範囲】
【請求項１】
信号受信部と、画像表示信号に基づき表示画像を表示する画像メモリ型表示媒体と、識別情報および前記画像表示信号が記憶される第１の記憶領域と前記第１の記憶領域における前記画像表示信号の記憶状態を示す記録情報を記憶する第２の記憶領域とを有する記憶部とを備えるタグと、  前記信号受信部と接触される接触電極部と、前記識別情報および前記記録情報を読み取る情報認識部と、前記識別情報に対応する画像表示情報および識別情報が記憶されたメモリと、前記画像表示情報に基づく画像表示信号、および前記記録情報を前記画像表示信号が記憶された状態にする書込み信号を前記接触電極部を介して送信する書込み部とを備えるリーダーライタとを有し、  前記リーダーライタでは、前記タグの前記信号受信部と前記リーダーライタの前記接触電極部とが接触した場合、前記識別情報および前記記録情報のうち、少なくとも前記記憶情報を読み取り、前記画像表示信号が記憶されていないとき、前記情報認識部で読み取られた前記識別情報と前記メモリに記憶された識別情報とを比較し、前記メモリに記憶された前記識別情報と一致する場合、前記書込み部が前記メモリに記憶された前記識別情報に対応する前記画像表示情報に基づく前記画像表示信号を前記接触電極部を介して送信し、前記画像メモリ型表示媒体に前記表示画像を表示させ、前記書込み信号を送信することを特徴とする情報表示システム。
【請求項２】
前記タグの前記記憶部の前記第１の記憶領域は、前記表示画像のための前記画像表示信号を１度だけ記憶させることができる請求項１に記載の情報表示システム。
【請求項３】
前記タグの前記記憶部は、不揮発性である請求項１または２に記載の情報表示システム。
【請求項４】
前記画像メモリ型表示媒体は前記リーダーライタからの給電により前記表示画像を表示するものであり、前記リーダーライタは、前記画像メモリ型表示媒体に給電するための電力供給部を有する請求項１〜３のいずれか１項に記載の情報表示システム。
【発明の詳細な説明】
【技術分野】
【０００１】  本発明は、電子ペーパ等の画像メモリ型表示媒体を備えたタグを用いた情報表示システムに関し、特に、画像表示信号を接触式で画像メモリ型表示媒体に送信し、画像メモリ型表示媒体への誤表示を防止することができる情報表示システムに関する。
【背景技術】
【０００２】  従来から、タグへの商品名、値段等の記入は手書きでなされていた。また、病院において投薬の際、患者毎に使用する薬剤にタグを設け、投薬の際、タグに患者の名前を手書きで書き込むことがなされている。近年、タグに電子ペーパが用いられており、タグへの書き込みは手書きではなく、書込みを行うシステムが提案されている。【０００３】  特許文献１には、制御装置と表示装置とを有する情報処理装置が記載されている。表示装置は、電子ペーパ部と表示装置毎に割り当てられた識別情報を記憶する第１記憶部とを有する。電子ペーパ部は、画像の書き換えが可能で、画像を無電源状態で表示保存できる表示記録媒体である。  制御装置は、電子ペーパを有する表示装置の装着および取り外しを検出する検出部と、表示装置が取り外されたことが検出された際に、表示装置毎に割り当てられた識別情報と、表示装置に表示させる内容を処理するプロセスの状態を示すプロセス情報とを対応付けて第２記憶部に書き込むプロセス制御部と、表示装置が装着されたことが検出された際に、識別情報を取得する取得部とを有する。プロセス制御部は、取得した識別情報に基づいて第２記憶部から取得した識別情報に対応するプロセス情報を取得し、取得されたプロセス情報に基づいてプロセスを表示装置を取り外した際の実行状態にする。
【先行技術文献】
【特許文献】
【０００４】
【特許文献１】特開２０１４−１０２４０１号公報
【発明の概要】
【発明が解決しようとする課題】
【０００５】  タグを手書きで書き込む場合、書き間違えが生じるという問題点がある。これにより、商品名、値段等が違って表示されることがある。薬剤に設けたタグに使用者を名前を書く場合に、名前を書き間違えると誤投薬につながる。  また、特許文献１の情報処理装置の電子ペーパ部は画像の書き換えが可能であり、同じ電子ペーパ部に２度書きされる可能性がある。この場合、２回目に書き込まれた内容が表示されてしまったり、１回目と２回目の内容が混在して表示されたりする可能性があり、いずれの場合も誤表示になる。【０００６】  本発明の目的は、前述の従来技術に基づく問題点を解消し、画像メモリ型表示媒体への誤表示を防止することができる情報表示システムを提供することにある。
【課題を解決するための手段】
【０００７】  上述の目的を達成するために、本発明の態様は、信号受信部と、画像表示信号に基づき表示画像を表示する画像メモリ型表示媒体と、識別情報および画像表示信号が記憶される第１の記憶領域と第１の記憶領域における画像表示信号の記憶状態を示す記録情報を記憶する第２の記憶領域とを有する記憶部とを備えるタグと、信号受信部と接触される接触電極部と、識別情報および記録情報を読み取る情報認識部と、識別情報に対応する画像表示情報および識別情報が記憶されたメモリと、画像表示情報に基づく画像表示信号、および記録情報を画像表示信号が記憶された状態にする書込み信号を接触電極部を介して送信する書込み部とを備えるリーダーライタとを有し、リーダーライタでは、タグの信号受信部とリーダーライタの接触電極部とが接触した場合、識別情報および記録情報のうち、少なくとも記憶情報を読み取り、画像表示信号が記憶されていないとき、情報認識部で読み取られた識別情報とメモリに記憶された識別情報とを比較し、メモリに記憶された識別情報と一致する場合、書込み部がメモリに記憶された識別情報に対応する画像表示情報に基づく画像表示信号を接触電極部を介して送信し、画像メモリ型表示媒体に表示画像を表示させ、書込み信号を送信することを特徴とする情報表示システムを提供するものである。【０００８】  タグの記憶部の第１の記憶領域は、表示画像のための画像表示信号を１度だけ記憶させることができることが好ましい。タグの記憶部は、不揮発性であることが好ましい。  画像メモリ型表示媒体はリーダーライタからの給電により表示画像を表示するものであり、リーダーライタは、画像メモリ型表示媒体に給電するための電力供給部を有することが好ましい。
【発明の効果】
【０００９】  本発明によれば、画像メモリ型表示媒体への誤表示を防止することができる。
【図面の簡単な説明】
【００１０】
【図１】本発明の実施形態の情報表示システムを示す模式図である。
【図２】本発明の実施形態の情報表示システムのタグを示す模式図である。
【図３】タグの使用形態の第１例を示す模式的斜視図である。
【図４】タグの使用形態の第２例を示す模式的斜視図である。
【図５】タグの使用形態を示す第３例を示す模式的平面図である。
【図６】本発明の実施形態の情報表示システムのタグの構成を示すブロック図である。
【図７】本発明の実施形態の情報表示システムのリーダーライタの構成を示すブロック図である。
【図８】本発明の実施形態の情報表示システムによる表示画像の書込みの一例を工程順に示すフローチャートである。
【発明を実施するための形態】
【００１１】  以下に、添付の図面に示す好適実施形態に基づいて、本発明の情報表示システムを詳細に説明する。  図１は本発明の実施形態の情報表示システムを示す模式図であり、図２は本発明の実施形態の情報表示システムのタグを示す模式図である。図３はタグの使用形態の第１例を示す模式的斜視図であり、図４はタグの使用形態の第２例を示す模式的斜視図であり、図５はタグの使用形態を示す第３例を示す模式的平面図である。
【００１２】  図１に示すように情報表示システム１０は、タグ１２と、リーダーライタ１４とを有する。  タグ１２は、取り付けられる対象物の情報を示すものであり、対象物に取り付けて使用される。タグ１２には識別情報が記憶されている。  タグ１２は、例えば、図３に示すように、容器１６ａに貼り付けられて使用される。容器１６ａは、内部に、気体、液体、固体またはこられのうち、少なくとも２種の混合物が充填されたものである。例えば、容器１６ａは輸液バッグである。  また、タグ１２は、図４に示すように、円筒容器１６ｂに貼り付けられて使用される。円筒容器１６ｂは、内部に、気体、液体、固体またはこられのうち、少なくとも２種の混合物が充填されたものである。例えば、円筒容器１６ｂはプレフィルドシリンジである。  また、タグ１２は、図５に示すように、フィルム状または平板状のシート１６ｃに貼り付けられて、値札、商品タグとして使用される。タグ１２は、値札、商品タグ以外に、入場券、回数券等にも利用することができる。
【００１３】  図１および図２に示すタグ１２は、信号受信部２０と画像メモリ型表示媒体２４とを有し、これらはシート体２６に設けられている。  信号受信部２０は、画像メモリ型表示媒体２４への画像表示信号の供給に利用されるものである。信号受信部２０は、例えば、２つの電極２１で構成される。  リーダーライタ１４で画像メモリ型表示媒体２４に記憶された識別情報が読み取られる。識別情報がタグ１２の対象物と対応付けられて記憶されていれば、タグ１２が取り付けられた対象物が特定される。すなわち、タグ１２が何に取り付けているかが特定される。
【００１４】  図６は本発明の実施形態の情報表示システムのタグの構成を示すブロック図である。  画像メモリ型表示媒体２４は画像表示信号に基づき表示画像２８（図２参照）を表示するものであり、一旦表示された表示画像２８が保持されるメモリ性を有する。  画像メモリ型表示媒体２４は、図６に示すように、表示制御部２４ａと表示部２４ｂと記憶部２４ｃとを有する。表示部２４ｂは、表示画像２８を表示するためのものである。  画像メモリ型表示媒体２４は、例えば、電子ペーパである。表示制御部２４ａは、表示部２４ｂに画像表示信号に基づき表示画像２８を表示させるための、図示はしないが、薄膜トランジスタ等で構成される駆動回路等を有する。  表示制御部２４ａが信号受信部２０に接続されており、信号受信部２０を介して画像表示信号が供給される。
【００１５】  記憶部２４ｃは第１の記憶領域２５ａと第２の記憶領域２５ｂを有する。記憶部２４ｃでは、第１の記憶領域２５ａにタグ１２の識別情報、表示画像２８を表示させるための画像表示信号が記憶される。タグ１２の識別情報は、タグ１２毎に付され、個々のタグ１２を特定するための固体識別情報である。識別情報は、タグ１２を特定することができれば、データ構成は特に限定されるものではない。  記憶部２４ｃでは、第１の記憶領域２５ａと第２の記憶領域２５ｂを分けた構成としたが、これに限定されるものではなく、記憶領域が１つの構成でもよい。  また、第１の記憶領域２５ａおよび第２の記憶領域２５ｂは、いずれも電源の供給がない場合でも情報を記憶保持できるものであることが好ましい。このため、第１の記憶領域２５ａおよび第２の記憶領域２５ｂは不揮発性であることが好ましい。ここで、不揮発性とは、電源等の供給がない場合でも記憶された情報を記憶保持されることをいう。不揮発性であれば、表示画像２８を電源等の供給がなくとも表示し続けることができる。
【００１６】  第２の記憶領域２５ｂには、第１の記憶領域２５ａに画像表示信号が記憶されているか否かの記憶状態を示す記録情報等が記憶される。上述の第１の記憶領域２５ａにおける画像表示信号の記憶状態を示す記録情報のことを、単に記録情報ともいう。  ここで、表示制御部２４ａは記憶部２４ｃへの情報の記憶を制御するものである。表示制御部２４ａにより記憶部２４ｃの第１の記憶領域２５ａおよび第２の記憶領域２５ｂに上述の情報を記憶させることができる。
【００１７】  第１の記憶領域２５ａに記憶される識別情報は、予め記憶されていてもよく、後から記憶させてもよい。予め記憶されている場合、記憶部２４ｃを形成する際に、マスクパターンを用いて第１の記憶領域２５ａにハードウェアとして識別情報を固定して設定する。  識別情報を後から記憶させる場合には、例えば、リーダーライタ１４を用いて、第１の記憶領域２５ａに識別情報を表す信号を送信して記憶させる。  画像表示信号については、例えば、リーダーライタ１４を用いて第１の記憶領域２５ａに画像表示信号を送信して記憶させる。
【００１８】  第２の記憶領域２５ｂには、上述のように記録情報が記憶される。記録情報については、具体的には、第１の記憶領域２５ａに画像表示信号が記憶されていれば、第２の記憶領域２５ｂにフラグが立てられる。ここで、フラグを立てるとは、例えば、第２の記憶領域２５ｂに画像表示信号用の「フラグフィールド」を設定しておき、「フラグフィールド」の値を「１」に設定することである。なお、「フラグフィールド」の値が「０」の値の場合、第１の記憶領域２５ａに画像表示信号が記憶されていないことを表す。このように画像表示信号が記憶されているか否かを示す記録情報は、「０」または「１」の１ビットで表すことができる。
【００１９】  画像表示信号用の「フラグフィールド」の値は、画像表示信号が送信されて第１の記憶領域２５ａに記憶させた際に、画像表示信号の送信後に、記録情報を画像表示信号が記憶された状態にする書込み信号が、リーダーライタ１４の書込み部３４から接触電極部３０、信号受信部２０を経てタグ１２の表示制御部２４ａに送信される。書込み信号を表示制御部２４ａが受信すると、第２の記憶領域２５ｂの画像表示信号用の「フラグフィールド」の値を「１」にする。これにより、タグ１２では画像表示信号が記憶された状態となる。  リーダーライタ１４がタグ１２の第２の記憶領域２５ｂの画像表示信号用の「フラグフィールド」の値を読み取り、その値が「１」であれば、リーダーライタ１４では、タグ１２が画像表示信号が記憶されている状態であることを検出することができる。  なお、画像表示信号用の「フラグフィールド」の値は画像表示信号が記憶されている状態を「１」としたが、画像表示信号が記憶されたことを検出できれば、これに限定されるものではなく、画像表示信号が記憶されている状態を示す画像表示信号用の「フラグフィールド」の値は「０」でもよい。
【００２０】  画像メモリ型表示媒体２４は、表示制御部２４ａに画像表示信号が入力されて、画像表示信号に基づいて、表示部２４ｂに表示画像２８が表示される。表示画像２８は、画像表示信号に基づいて表示されるものであり、表示画像２８には画像のみならず、文字および記号も含まれる。表示画像２８としては、使用者、所有者、商品名および値段等である。  画像メモリ型表示媒体２４が電池等の電源部を備えていない場合、信号受信部２０を介して表示制御部２４ａを駆動させるための予め定められた電圧の直流信号または交流信号が供給される。
【００２１】  タグ１２は、上述のように取り付けられる対象物の情報を示すものであり、画像メモリ型表示媒体２４は、誤表示を防止するために、表示画像２８の書き換えが不可能であることが好ましい。第１の記憶領域２５ａは画像表示信号が２度書きできない構成であることが好ましい。また、時間の経過または静電気等より電子ペーパに表示された画像が消えてしまう可能性があり、この場合も誤表示されることになる。  このことから、画像メモリ型表示媒体２４としては、書き込みが１度しかできない電子ペーパ、いわゆる、ライトワンスの電子ペーパが好ましい。ライトワンスの電子ペーパは、例えば、画像メモリ型表示媒体２４の記憶部２４ｃの第２の記憶領域２５ｂにフラグを立てて、第１の記憶領域２５ａに、表示画像２８のための画像表示信号を１度だけ書き込む、すなわち、画像表示信号を１度だけ記憶させることができる構成としたものである。これにより、リーダーライタ１４から画像表示信号を送信できなくすることができる。
【００２２】  なお、リーダーライタ１４が、第２の記憶領域２５ｂのフラグを検知しない場合には、画像表示信号を送信する可能性があり、画像表示信号が書き換えられたり、２つの画像表示信号が混在する可能性が生じる。このことからも、記憶部２４ｃのうち、画像表示信号が記憶される、少なくとも第１の記憶領域２５ａは、画像表示信号を１度だけ記憶でき、書き換えが不可能なこと、すなわち、非可逆であることが好ましい。１度だけ記憶ができ、書き換えが不可能な方式としては、画像表示信号の書き換え可能型をシステムとして、画像表示信号を書き換え不可能としてもよいし、画像表示信号について物理的に書き換え不可能な表示媒体を用いてもよい。  なお、電子ペーパには、例えば、マイクロカプセル方式、電気泳動方式、液晶方式、電子粉流体、エレクトロウェッティング方式、化学変化方式、感熱材料方式を用いたもの等を利用することができる。画像メモリ型表示媒体２４には、液晶表示装置を用いることもできる。
【００２３】  図７は本発明の実施形態の情報表示システムのリーダーライタの構成を示すブロック図である。リーダーライタ１４は、筐体１８（図１参照）内に、図７に示す構成が収納されている。  リーダーライタ１４は、接触電極部３０、情報認識部３２、書込み部３４、画像表示信号作成部３６、メモリ３８および制御部４０と操作部４２を有する。リーダーライタ１４では制御部４０により、接触電極部３０、情報認識部３２、書込み部３４、画像表示信号作成部３６、およびメモリ３８の動作、ならびにこれらの間でのデータの送受信が制御される。
【００２４】  操作部４２は、リーダーライタ１４を使用する使用者がリーダーライタ１４に指示入力するためのものである。操作部４２の指示入力が制御部４０に入力されて、リーダーライタ１４では指示入力に応じた動作がなされる。操作部４２は、指示入力することができれば、その構成は特に限定されるものではなく、表示部、操作ボタン、または指示入力に利用されるタッチセンサ等が適宜利用可能である。また、操作部４２では、音声を発生できるようにしてもよい。これにより、音声にて警告を発生させることができる。
【００２５】  接触電極部３０は、信号受信部２０と接触されるものであり、タグ１２との接点となる。接触電極部３０は、信号受信部２０と同じ構成であり、例えば、図示はしないが信号受信部２０（図２参照）の電極２１（図２参照）と同じ構成の電極を有する。  接触電極部３０の導通は制御部４０で監視されており、接触電極部３０が信号受信部２０と接触して導通された場合、情報認識部３２によるタグ１２の識別情報の読み取り、タグ１２の記憶部２４ｃの第２の記憶領域２５ｂの「フラグフィールド」の値の読み取りがなされる。接触電極部３０が信号受信部２０との接触が、リーダーライタ１４の動作のトリガである。なお、導通は、例えば、接触電極部３０の抵抗値の変化により検知することができる。
【００２６】  情報認識部３２は、タグ１２の識別情報を読み取り、かつタグ１２の記憶部２４ｃの第２の記憶領域２５ｂの「フラグフィールド」の値を読み取るものであり、これらのことができる構成であれば、特に限定されるものではない。例えば、情報認識部３２は、処理部５２と、確認部５４とを有する。
【００２７】  処理部５２は、接触電極部３０に接続されている。処理部５２では、接触電極部３０を介して得られた、識別情報の読取信号を処理し、例えば、読取信号をデジタル信号に変換して読取データを得る。読取データに対してデコード処理を施し、読み取った識別情報を、メモリ３８に記憶された識別情報と比較できるようにする。識別情報に関するデコード処理が施された読取データは、確認部５４に出力される。これにより、後述のように確認部５４でタグ１２の識別情報が、メモリ３８に記憶された識別情報と比較され、記憶されている識別情報と一致するか否かを確認することができる。  また、処理部５２は、接触電極部３０を介して得られた、タグ１２の記憶部２４ｃの第２の記憶領域２５ｂの「フラグフィールド」の値の情報についても、識別情報の読取信号を処理し、例えば、読取信号をデジタル信号に変換して読取データを得るものである。このデジタル信号の読取データは、確認部５４に出力される。これにより、後述のように確認部５４で第２の記憶領域２５ｂの「フラグフィールド」の値に基づく処理が可能となる。処理部５２で得られた上述のいずれの読取データはメモリ３８に出力し記憶させてもよい。
【００２８】  確認部５４は、情報認識部３２で得られた識別情報とメモリ３８に記憶された識別情報を比較し、情報認識部３２で得られた識別情報とメモリ３８に記憶された識別情報との一致不一致を判定するものである。これにより、タグ１２への誤表示を防止することができる。
【００２９】  具体的には、読み取られたタグ１２の識別情報がメモリ３８に記憶された識別情報ではない場合、すなわち、違うタグを読み取った場合、制御部４０により、リーダーライタ１４による処理を停止する。これにより、複数のタグに、違ったタグが紛れ込んでいても、その違ったタグに表示画像を書き込むことを防止することができる。この場合、操作部４２に警告が、画像または音声等で発せられるようにしてもよい。これにより、使用者にも違うタグであることを知らせることができる。  読み取られたタグ１２の識別情報がメモリ３８に記憶された識別情報である場合には、リーダーライタ１４による処理が継続される。
【００３０】  確認部５４は、タグ１２の記憶部２４ｃの第２の記憶領域２５ｂの「フラグフィールド」の値の情報を得るものである。「フラグフィールド」の値が「１」の場合、画像表示信号が既に記憶されているため、制御部４０により、リーダーライタ１４による処理を停止する。この場合、操作部４２に警告が、画像または音声等で発せられるようにしてもよい。  一方、「フラグフィールド」の値が「０」の場合、画像表示信号が送信されていないため、リーダーライタ１４による処理が継続される。  リーダーライタ１４では、「フラグフィールド」の値の処理を、識別情報の処理よりも先に行う。識別情報の処理を先にした場合、識別情報が一致しても「フラグフィールド」の値が「１」、すなわち、画像表示信号が既に記憶されていた場合には、処理が停止される。このため、停止する場合の工程を簡素化するためには「フラグフィールド」の値の処理を先に行うことが好ましい。
【００３１】  書込み部３４は、画像メモリ型表示媒体２４に表示画像２８を表示させるための画像表示信号を接触電極部３０からタグ１２に送信させるためのものである。また、書込み部３４は、書込み信号を接触電極部３０からタグ１２に送信させるためのものである。  画像表示信号作成部３６は、画像表示信号を作成するものであり、例えば、メモリ３８に記憶された識別情報に対応する画像表示情報に基づき作成される。画像表示信号としては、対象物の所有者、対象物の使用者、対象物の名前、対象物の価格、対象物の期限等を示す表示画像を形成するためのものである。  画像表示信号は、画像表示信号作成部３６で、メモリ３８に記憶された識別情報に対応する画像表示情報から作成されるものであり、後述のタイミングで書込み部３４から送信される。
【００３２】  また、画像表示信号作成部３６は、記録情報を画像表示信号が記憶された状態にする書込み信号を作成するものである。書込み信号は、例えば、第２の記憶領域２５ｂに設けた画像表示信号用の「フラグフィールド」の値を「１」させる信号である。  なお、書込み信号は、予めメモリ３８に記憶させておいてもよい。この場合、画像表示信号作成部３６がメモリ３８から書込み信号を読み出し、画像表示信号の送信後に書込み部３４によりタグ１２に送信する。これにより、表示制御部２４ａが上述の第２の記憶領域２５ｂの画像表示信号用の「フラグフィールド」の値を「１」にする。
【００３３】  画像メモリ型表示媒体２４が電池等の電源部がなくリーダーライタ１４からの給電により、表示部２４ｂに表示画像２８を表示するものである場合、リーダーライタ１４は、画像メモリ型表示媒体２４に給電するための電力供給部を有する。電力供給部は、例えば、画像表示信号作成部３６と書込み部３４で構成される。この場合、画像表示信号作成部３６は、画像表示信号を作成することなく、表示制御部２４ａを駆動させるための予め定められた電圧の直流信号または交流信号を作成し、書込み部３４から、画像表示信号に代えて直流信号または交流信号を送信する。
【００３４】  メモリ３８には、各種の情報が記憶されている。識別情報に対応する画像表示情報が記憶されている。画像表示情報は、例えば、所有者、使用者、商品名、値段、期限、原産地等の情報である。  また、メモリ３８には、情報認識部３２で得られた識別情報との比較のための識別情報が記憶されている。上述のように、情報認識部３２で得られた識別情報がメモリ３８に記憶されたものでなければ、表示画像の書込みはなされず、誤記入が防止される。  なお、メモリ３８に記憶される識別情報等の各種の情報は、用途等に応じて書き換え可能であってもよい。書き換えは、メモリ３８の記録媒体を変える方法でも、有線または無線の通信回線を通じて書き換える方法でもよい。
【００３５】  図８は本発明の実施形態の情報表示システムによる表示画像の書込みの一例を工程順に示すフローチャートである。  例えば、図３に示すように容器１６ａにタグ１２が取り付けられており、このタグ１２の識別情報に基づいて、容器１６ａの使用者の情報、例えば、名前の表示画像２８を表示させることを例にして説明する。これにより、例えば、タグ１２への患者名の誤記入が防止され、患者に薬液を投薬する際の誤投薬を防止することができる。
【００３６】  タグ１２の信号受信部２０にリーダーライタ１４の接触電極部３０を接触させる（ステップＳ１０）。このとき、制御部４０で接触電極部３０の導通が検知され、これをトリガにして情報認識部３２により、記録情報、すなわち、タグ１２の記憶部２４ｃの第２の記憶領域２５ｂの「フラグフィールド」の値が読み取られる。また、第１の記憶領域２５ａの識別情報も読み取られる（ステップＳ１２）。情報認識部３２の処理部５２および確認部５４により、「フラグフィールド」の値、および識別情報を得る。  ステップＳ１２において、「フラグフィールド」の値および識別情報が読み取れられているが、画像表示信号が記憶された場合には、処理が停止されるため、余計な工程の実行を防ぐためにも「フラグフィールド」の値および識別情報のうち、少なくとも「フラグフィールド」の値が読み取られればよい。
【００３７】  次に、「フラグフィールド」の値に基づき、第１の記憶領域２５ａに画像表示信号が記憶されているか否かが判定される（ステップＳ１４）。  ステップＳ１４において、「フラグフィールド」の値が「１」の場合、第１の記憶領域２５ａに画像表示信号が既に記憶されている。このとき、制御部４０により、リーダーライタ１４による処理を停止し、タグ１２への表示画像２８の書込みが行われない。この場合、例えば、警告を発し、リーダーライタ１４の使用者に、タグには画像表示信号が記憶されていることを知らせるようにしてもよい。
【００３８】  一方、ステップＳ１４において、「フラグフィールド」の値が「０」の場合、第１の記憶領域２５ａに画像表示信号が記憶されていない。このとき、情報認識部３２の確認部５４で、読み取られたタグ１２の識別情報と、メモリ３８に記憶された識別情報とが一致するか否かが確認される（ステップＳ１６）。
【００３９】  ステップＳ１６において、読み取られたタグ１２の識別情報が不一致の場合には、リーダーライタ１４による処理を停止し、タグ１２への表示画像２８の書込みが行われない。この場合、例えば、警告を発し、リーダーライタ１４の使用者に間違ったタグであることを知らせるようにしてもよい。  一方、ステップＳ１６において、読み取られたタグ１２の識別情報が一致している場合には、画像表示信号が画像表示信号作成部３６にて作成され、画像表示信号が書込み部３４から接触電極部３０を介してタグ１２の信号受信部２０を経て、画像メモリ型表示媒体２４の表示制御部２４ａに送信され、第１の記憶領域２５ａに記憶される（ステップＳ１８）。これにより、送信された画像表示信号に基づいて、表示部２４ｂに表示画像２８が表示される。
【００４０】  次に、ステップＳ１８において画像表示信号を送信した後、画像表示信号が第１の記憶領域２５ａに記憶される。画像表示信号を送信した後、画像表示信号が送信したことを示す書込み信号を送信する（ステップＳ２０）。この場合、接触電極部３０を介してタグ１２の表示制御部２４ａに書込み信号を送信し、表示制御部２４ａにより記憶部２４ｃの第２の記憶領域２５ｂの「フラグフィールド」の値が「１」にされる。これにより、タグ１２では記録情報が、画像表示信号が記憶された状態になり、リーダーライタ１４では画像表示信号の送信が抑制され、２度書き等が防止される。
【００４１】  以上のようなことから、タグ１２に画像表示信号が記憶されているか否かが記憶情報に基づき、識別情報の一致不一致の処理の前に判定されるため、余計な工程を実行することなく、画像表示信号の記録の有無の判定を速やかにでき、かつ２度書きを確実に防止することができるため、短時間で画像表示の対象でないタグを外すことができる。  さらには、リーダーライタ１４のメモリ３８に、例えば、タグ１２の識別情報に対応して、薬剤の使用者名が記憶されている場合、識別情報が一致する、患者に投薬する薬剤のタグ１２に患者名が表示される。一方、患者に投薬しない薬剤については、識別情報が一致しないため、患者名はタグ１２に表示されない。このようにして、薬剤への誤書込みを防止することができる。
【００４２】  上述の例では、ステップＳ１６において、読み取られたタグ１２の識別情報とメモリ３８に記憶された識別情報を比較したが、これに限定されるものではない。例えば、予め一致不一致を確認する対象を決めておいてもよい。具体的には、上述のステップＳ１０の前に、対象識別情報を取得し、メモリ３８に記憶させておく。対象識別情報の取得は、例えば、バーコードをリーダーライタ１４で読み取る等して、対象識別情報をメモリ３８に記憶させる。この状態で、上述のステップＳ１０からの処理を行う。これにより、比較する識別情報を減らすことができる。
【００４３】  情報表示システム１０では、タグ１２とリーダーライタ１４とを接触させる接触方式にて表示画像２８を得る構成としているため、無線方式とは異なり、接触させていない他のタグに表示画像が書き込まれることが防止される。また、タグ１２についても接触させていない他のタグの情報を読み取ることが防止される。これにより、タグ１２への表示画像２８の誤書込みを防止することができ、例えば、投薬に利用された場合には、薬剤名と患者を一致させることができ、誤投薬を防止することができる。  上述のように接触方式とすることで、受信回路等が必要な無線方式に比してタグ１２の構成を簡素化でき、しかもバーコード等も設けておらずタグ１２を安くできる。このため、タグ１２を使い捨てにすることもできる。
【００４４】  本発明は、基本的に以上のように構成されるものである。以上、本発明の情報表示システムについて詳細に説明したが、本発明は上述の実施形態に限定されず、本発明の主旨を逸脱しない範囲において、種々の改良または変更をしてもよいのはもちろんである。
【符号の説明】
【００４５】  １０  情報表示システム  １２  タグ  １４  リーダーライタ  １６ａ  容器  １６ｂ  円筒容器  １６ｃ  シート  １８  筐体  ２０  信号受信部  ２１  電極  ２４  画像メモリ型表示媒体  ２４ａ  表示制御部  ２４ｂ  表示部  ２４ｃ  記憶部  ２５ａ  第１の記憶領域  ２５ｂ  第２の記憶領域  ２６  シート体  ２８  表示画像  ３０  接触電極部  ３２  情報認識部  ３４  書込み部  ３６  画像表示信号作成部  ３８  メモリ  ４０  制御部  ４２  操作部  ５２  処理部  ５４  確認部  Ｓ１０  ステップ  Ｓ１２  ステップ  Ｓ１４  ステップ  Ｓ１６  ステップ  Ｓ１８  ステップ  Ｓ２０  ステップ
【図１】
2016194523.tif 000003
【図２】
2016194523.tif 000004
【図３】
2016194523.tif 000005
【図４】
2016194523.tif 000006
【図５】
2016194523.tif 000007
【図６】
2016194523.tif 000008
【図７】
2016194523.tif 000009
【図８】
2016194523.tif 000010
【国際調査報告】
2016194523.tif 000011
2016194523.tif 000012